(57)【特許請求の範囲】
【請求項１】
a)被検者が横たわるための天板と、b)前記被検者にＸ線を照射するＸ線照射手段と、c)前記被検者を通過したＸ線を検出するために、微小のＸ線検出素子が二次元状に配列されてなるＸ線検出手段と、d)該Ｘ線検出手段を水平姿勢と垂直姿勢との間で回動可能に保持するとともに、該Ｘ線検出手段が前記天板の下方に挿入される臥位撮影位置と該天板と干渉しない所定の立位撮影位置との間で移動可能である第１保持手段と、e)前記Ｘ線照射手段からのＸ線の出射方向が下方向と横方向とに変更可能であるように該Ｘ線照射手段を保持するとともに、該Ｘ線照射手段が前記天板の上方に来る臥位撮影位置と前記Ｘ線検出手段が立位撮影位置にあるときに被検者を挟んで該Ｘ線検出手段と対向するような立位撮影位置との間で移動可能である第２保持手段と、を備え、前記被検者が天板上に横たわった臥位姿勢と床面上の所定位置に起立した立位姿勢とで選択的にＸ線透視撮影を行うに際し、前記Ｘ線検出手段が水平姿勢にある場合にその中心を基準とし、垂直姿勢にある場合にその上端を基準とするよう該Ｘ線検出手段におけるＸ線検出素子の読み出し領域の位置を変更するようにしたことを特徴とする医用Ｘ線撮影装置。
【発明の詳細な説明】
【０００１】
【発明の属する技術分野】
本発明は、病院等で使用される医療用のＸ線撮影装置に関する。
【０００２】
【従来の技術】
Ｘ線透視撮影は、従来より検診や診断を行うために非常に広く行われている。一般的な医用Ｘ線透視撮影ではその目的に応じて、被検者が直立した状態にある立位姿勢での撮影と被検者がベッドに臥した状態での臥位撮影とのいずれか又は両方が行われることが多い。外来の被検者が医療機関へ赴いてＸ線撮影を含む診断を受ける場合の、従来の一般的な手順は次の通りである。
【０００３】
まず、被検者は内科、外科、整形外科等、担当の医師に診断を受け、医師がＸ線撮影が必要であると判断すると撮影条件（撮影姿勢や撮影部位など）を記載した処方箋を作成する。被検者は医師の指示を受けて放射線科へ出向き、一方、処方箋は看護婦等の手により放射線科へ運ばれる。放射線科のＸ線撮影室内には立位撮影用の装置と臥位撮影用の装置とが設置されており、担当の技師が上記処方箋の記載内容に従って被検者に対し立位又は臥位姿勢を指示するとともに、そのいずれかの装置において撮影部位等の条件の設定を手動で行う。そして、Ｘ線透視撮影を行って撮影画像をフィルムに焼き付ける。こうして得られた撮影画像は、看護婦等の手により医師の居る診察室まで届けられる。医師は診察室において、この撮影画像を見ながら診察を行う。
【０００４】
【発明が解決しようとする課題】
このような従来のＸ線撮影方法では、次のような様々な不具合点がある。
(1) 医療機関では立位撮影用、臥位撮影用の両方のＸ線撮影装置を配備しなければならず、コスト的な負担が大きい。
(2) Ｘ線撮影を行う際の位置合わせ等の撮影条件の設定は担当技師が手動で行わなければならず、面倒で作業効率が悪い。また、撮影技師の技量や経験が不足している場合には撮影ミスが生じるおそれもあり、撮影し直し等の時間的、費用的な無駄、更には被検者にとっては被爆線量の増加といった問題が生じる。
(3) 医師が記載した処方箋や撮影したフィルムを放射線科と診察担当医師との間でやりとりする手間が面倒である。また、特にフィルムに被検者の名前の記載が不明瞭であると他の被検者のものと混同する、或いは搬送途中で紛失する等のおそれも考えられる。
【０００５】
もちろん、医療現場においては特に人為的ミスが患者の生命に関わることがあるため、こうしたミスを防止すべく各種の手順や取り決めが定められていることは言うまでもない。しかしながら、医用装置や医療システムにおいても、こうした人為的ミスや個人の技量の相違をカバーすることが求められており、両者が相まって医療の信頼性を一層高めることができる。本発明の目的の一つは、人為的ミスや技量の不足等を補って高い信頼性を確保することができる医用Ｘ線撮影装置を提供することにある。また、本発明の他の目的は、医療機関において設備に要するコストを低減することができる医用Ｘ線撮影装置を提供することにある。
【０００６】
【課題を解決するための手段】
上記目的を達成するため、本願発明に係る医用Ｘ線撮影装置は、a)被検者が横たわるための天板と、b)前記被検者にＸ線を照射するＸ線照射手段と、c)前記被検者を通過したＸ線を検出するために、微小のＸ線検出素子が二次元状に配列されてなるＸ線検出手段と、d)該Ｘ線検出手段を水平姿勢と垂直姿勢との間で回動可能に保持するとともに、該Ｘ線検出手段が前記天板の下方に挿入される臥位撮影位置と該天板と干渉しない所定の立位撮影位置との間で移動可能である第１保持手段と、e)前記Ｘ線照射手段からのＸ線の出射方向が下方向と横方向とに変更可能であるように該Ｘ線照射手段を保持するとともに、該Ｘ線照射手段が前記天板の上方に来る臥位撮影位置と前記Ｘ線検出手段が立位撮影位置にあるときに被検者を挟んで該Ｘ線検出手段と対向するような立位撮影位置との間で移動可能である第２保持手段と、を備え、前記被検者が天板上に横たわった臥位姿勢と床面上の所定位置に起立した立位姿勢とで選択的にＸ線透視撮影を行うに際し、前記Ｘ線検出手段が水平姿勢にある場合にその中心基準とし、垂直姿勢にある場合にその上端を基準とするよう該Ｘ線検出手段におけるＸ線検出素子の読み出し領域の位置を変更するようにしたことを特徴とする。
【０００７】
すなわち、天板上に横たわった被検者に対してＸ線透視撮影を行う場合には、Ｘ線照射手段は第２保持手段により天板の上方、つまり被検者の上方に配置され、Ｘ線照射方向は下向きにされる。一方、Ｘ線検出手段は第１保持手段により水平姿勢に維持され、天板の下方に挿入される。これにより、天板上で臥位姿勢をとる被検者を挟んで上にＸ線照射手段、下にＸ線検出手段が対向して配置される。また、立位姿勢をとる被検者に対してＸ線透視撮影を行う場合には、Ｘ線検出手段は第１保持手段により垂直姿勢に維持され、天板と干渉しない所定の立位撮影位置まで移動される。例えば胸部撮影を行う場合であれば、被検者はこのＸ線検出手段の検出面に胸部を押し当てるような状態で起立する。一方、Ｘ線照射手段は第２保持手段により上記被検者を挟んでＸ線検出手段と対向する立位撮影位置まで移動され、Ｘ線照射方向は被検者に向くように横向きにされる。これにより、立位姿勢をとる被検者を挟んでほぼ横方向にＸ線照射手段とＸ線検出手段とが対向して配置される。
【０００８】
このように本発明に係る医用Ｘ線撮影装置によれば、立位撮影と臥位撮影とで装置の主要部であるＸ線照射手段及びＸ線検出手段が共用化されるので、装置が安価になる。したがって、医療機関が装置を導入する際のコストが大幅に削減できるとともに、メンテナンス等の保守に掛かるコストも少なくてすむ。
また、一般に、臥位撮影では撮影面の中心に対して上下左右対称に撮影領域を設定する中央基準の撮影であるのに対し、立位撮影では撮影面の上縁端の中央の垂直軸に対する左右対称に撮影領域を設定する上基準の撮影であるが、本発明に係る医用Ｘ線撮影装置によれば、Ｘ線検出手段の水平又は垂直の姿勢に応じて該Ｘ線検出手段におけるＸ線検出素子の読み出し領域の位置を変更するようにしているので、それぞれの撮影において所望の部位を確実に撮影することができる。
【０００９】
更にまた、本発明に係る医用Ｘ線撮影装置は、上記構成に加えて、被検者に関する撮影情報を外部より取り込む撮影情報取込み手段と、該取り込んだ撮影情報に基づいて前記Ｘ線照射手段及びＸ線検出手段が所定位置に来るように前記第１及び第２保持手段を制御する制御手段と、を備える構成とすると好ましい。ここで、撮影情報取込み手段は、ＬＡＮなどの通信ネットワークを介して外部より撮影情報を取り込む構成とすることができる。
【００１０】
この構成によれば、医師等が指示した撮影条件に基づいて、立位撮影又は臥位撮影のいずれかが行える状態にＸ線照射手段及びＸ線検出手段が自動的にセットされる。したがって、撮影担当者による面倒な操作や作業が軽減され、作業効率も改善される。また、自動的に撮影位置やそのほかの撮影に関する条件が設定されれば、撮影担当者の人為的ミスによる不適切な撮影も解消される。また、撮影情報が通信ネットワークを経て送られることにより、処方箋を手で運ぶといった手間も不要になり、紛失等のミスも解消できる。
【００１１】
更にまた、上述したように、本発明に係る医用Ｘ線撮影装置がＬＡＮなどの通信ネットワークに接続されている場合には、撮影されたＸ線透視画像を構成するデータを該通信ネットワーク上に送出可能な形式に変換するデータ形式変換手段を備える構成とすると一層好ましい。
【００１２】
この構成によれば、当該医用Ｘ線撮影装置により撮影したＸ線透視画像をフィルムに焼き付けたり或いはリムーバブル記憶媒体に格納したりすることなく、通信ネットワークを介して直接医師の手元のコンピュータへ送信してそのモニタ画面上に表示させたり、或いはホストコンピュータに構築されているデータベースに登録・保管させたりすることができる。したがって、フィルムやリムーバブル記憶媒体を手で運ぶ手間が省け、紛失や他人のものとの混同が防止できるほか、撮影直後に医師が撮影画像を見ることが可能となるので、診断や治療の効率も改善できる。
【００１３】
また、通信ネットワークを介して外部より撮影情報を取り込んで第１、第２保持手段の動作を制御する構成にあっては、前記通信ネットワークを介して撮影情報を外部より取り込んだことを報知する報知手段と、操作者による動作開始の指示を受け付ける動作開始受付手段と、前記報知手段による報知後に該動作開始の指示を受け付けるまでの間、前記Ｘ線照射手段及びＸ線検出手段を元の位置に待機させる待機手段と、を更に備え、前記制御手段は前記動作開始受付手段による動作開始の指示を受けて前記第１及び第２保持手段の制御を開始する構成とすることが好ましい。
【００１４】
この構成によれば、撮影情報取込み手段が撮影情報を取り込んだ後にすぐに動作を開始するのではなく、報知手段により第１、第２保持手段が撮影情報を取り込んだことを操作者に知らせた後、待機手段により第１、第２保持手段はＸ線照射手段及びＸ線検出手段を元の位置に待機せしめ、操作者による動作開始の指示があったならば初めて第１、第２保持手段の動作を開始させる。そのため、操作者は周囲に障害物がない等の安全性を充分に確認した後に、Ｘ線照射手段及びＸ線検出手段が所定位置に来るように移動を行わせることができる。なお、報知手段としては、表示等の視覚的な注意、警告音等の聴覚的な注意を発するものとすることができる。
【００１５】
また同様に安全性を確保するために好ましい構成としては、前記第１保持手段及び／又は第２保持手段の移動に際して障害物を検知する障害物検知手段と、該障害物の検知によって前記第１保持手段及び／又は第２保持手段の移動を停止する移動停止手段とを更に備える構成としてもよい。
【００１６】
この構成によれば、第１、第２保持手段が移動を開始した後に移動経路に人（被検者など）や物などの障害物が存在した場合やその障害物に近接した場合に、その移動が自動的に停止して衝突を免れる。したがって、仮に操作者の見落としや操作ミス等によって不安全な状態で第１、第２保持手段の移動が開始された場合であっても、或いは、不意に人が装置に近づいて不安全な状態が発生した場合であっても、第１、第２保持手段が障害物に衝突することを回避できる。
【００１８】
【発明の実施の形態】
以下、本発明の一実施例による医用Ｘ線撮影装置について図面を参照しつつ説明する。図１は本実施例による医用Ｘ線撮影装置の全体構成図、図２は臥位撮影時の要部の正面図、図３は立位撮影時の要部の正面図である。
【００１９】
図１において、Ａに示す点線で囲んだ範囲は臥位撮影時の各部の位置を示しており、Ｂに示す点線で囲んだ範囲は立位撮影時の各部の位置を示している。すなわち、撮影室Ｒの床面Ｆには、被検者Ｐを載置するための縦断面コ字形状の載置台１０を上部に有し、図１、図２中の矢印Ｍ１の方向に昇降自在の昇降台１１が設置されている。その横には、二次元Ｘ線センサ（フラットパネル型Ｘ線センサであるので以下「ＦＰＤ」と記す）１２ａを内装するＦＰＤユニット１２を保持する保持台１３が、床面Ｆに敷設されたレール１４に沿って図１中の矢印Ｍ２の方向に移動自在に設けられている。
【００２０】
ＦＰＤユニット１２は保持台１３から側方に突出したアーム１３ａに取り付けられており、アーム１３ａが図２、図３中の矢印Ｍ３の方向に上下動することによりＦＰＤ１２ａの高さが変更自在であるとともに、アーム１３ａが図２，図３中の矢印Ｍ４の方向に回転することによりＦＰＤ１２ａは水平状態又は垂直状態に切り替わる。ＦＰＤユニット１２には移動方向に対して障害物が存在していることを検知するための障害物センサ１２ｂが内蔵されている。障害物センサ１２ｂは赤外線センサなど従来知られているものを利用することができる。また、保持台１３の上部には表示灯１３ｂが設けられている。
【００２１】
ＦＰＤ１２ａは平面内で縦・横方向にそれぞれ所定個数の微小なＸ線検出素子を配列した構成を有し、各Ｘ線検出素子がそれぞれＴＦＴを介して縦横に走る読み出し配線に接続されるとともに、読み出し配線はそれぞれ横読み出し駆動部又は縦読み出し駆動部に接続されており、横、縦読み出し駆動部へ読み出し用駆動信号が供給される。各Ｘ線検出素子にはその行・列に応じたアドレスが割り振られており、そのアドレスを指定することによって特定のＸ線検出素子の信号を読み出すことが可能となる。ここでは、例えば、画素数（素子数）が2700×2700程度のＦＰＤが利用される。なお、ＦＰＤの具体的な構成は本出願人が既に特願平9-324430号（特開平11-155851号公報）に記載のものとすることができる。
【００２２】
撮影室Ｒの天井ＣにはＸ線管１５を移動させるためのレール１６が設けられており、Ｘ線管１５は図１〜図３中の矢印Ｍ７の方向に伸縮自在の懸垂アーム１５ａにより吊り下げ支持され、レール１６に沿って図１中の矢印Ｍ５の方向に往復動自在に設けられている。更にまた、Ｘ線管１５は懸垂アーム１５ａに対し軸を中心にして図２，図３中の矢印Ｍ６の方向に回動自在であり、これによりＸ線を真下又は真横のいずれかの方向に切り替えて照射することができるようになっている。なお、実際にはその回転の途中で停止させ、或る角度を持たせてＸ線を照射することも可能である。
【００２３】
この医用Ｘ線撮影装置では、臥位撮影時と立位撮影時とにおいて、Ｘ線照射手段であるＸ線管１５とＸ線検出手段であるＦＰＤ１２ａとが共用されるようになっている。すなわち、臥位撮影時には図１中のＡの範囲及び図２に示すように、ＦＰＤ１２ａは水平状態になって載置台１０の天板の下方に挿入され、これによって天井Ｃに位置するＸ線管１５との間に被検者Ｐを配置させる。一方、立位撮影時には図１中のＢの範囲及び図３に示すように、ＦＰＤ１２ａが垂直状態になるとともに昇降台１１から離れた位置まで移動し、またＸ線管１５もＦＰＤ１２ａとの間に被検者Ｐを挟む位置まで移動して懸垂アーム１５ａが伸長し、更にＸ線管１５が９０°回転して被検者Ｐ’の背中に向く。本医用Ｘ線撮影装置では、このように装置全体の中でコストに占める割合の大きいＸ線管１５及びＦＰＤ１２ａが共用化されているため、臥位撮影用と立位撮影用とで別々に装置を用意した場合に比べて大幅なコストの削減が可能である。
【００２４】
上記各部の制御の中心には処理・制御部２０が据えられており、処理・制御部２０から制御信号を受けた移動制御部２３は上記各部の位置（つまり移動や回転）の制御を統括的に行う。また、照射制御部２４はＸ線管１５からのＸ線照射を制御する。一方、ＦＰＤ１２ａの各Ｘ線検出素子の出力はデータ収集部２１を介してＡ/Ｄ変換部２２でデジタル値に変換され、処理・制御部２０へと入力される。また、障害物センサ１２ｂの検知信号は障害物検知部３５により判定され、その結果が処理・制御部２０へと入力される。
【００２５】
処理・制御部２０はこのＸ線撮影装置専用の装置として構成することもできるが、通常のコンピュータに所定のソフトウエアをインストールして実行させることによって同様の機能を実現することができる。この処理・制御部２０には、撮影したＸ線透視画像データを格納するための大容量の記憶装置２５、撮影したＸ線透視画像をフィルムに焼き付けるためのフィルム記録部２６、Ｘ線透視画像やそのほかの情報を表示するためのモニタ２７、キーボードやマウス等のポインティングデバイスを含む入力部２８などが接続されている。
【００２６】
更に、処理・制御部２０はモデム等の通信機能を備えた通信制御部２９を介して院内ネットワーク３２に接続されている。院内ネットワーク３２は例えば当該Ｘ線撮影装置が設置された医療機関内に敷設されたＬＡＮ等の閉じた通信回線網であって、各担当医師や部局に配備された個別のコンピュータ３４、患者の病歴等を含む各種情報をデータベースとして保有するホストコンピュータ３３なども接続されている。また、処理・制御部２０には被検者毎に手渡されるカード３１を読み取り可能なカードリーダ３０も接続されている。カード３１は例えば磁気カードやＩＣカードであり、少なくともそのカードの持ち主である被検者の識別情報（ＩＤコードなど）が保持されている。
【００２７】
なお、ＩＣカード等の記憶容量の大きなカードであれば、医師の診断を受けた時点等においてこのカードに撮影情報を書き込むことも可能である。その場合には、院内ネットワーク３２を経ることなく撮影情報がこのＸ線撮影装置へと渡されることになる。但し、カードからの個人情報の漏洩等を防止する観点からみれば、カードには識別情報等の最低限必要な情報のみを記憶させ、撮影情報は院内ネットワークを介して送るほうが好ましい。
【００２８】
なお、上記データ収集部２１は予め決められた順序で決められたアドレスのＸ線検出素子の信号を読み出すように構成されているが、臥位撮影時と立位撮影時とではＦＰＤ１２ａの全領域のうちの読み出し領域が異なっている。この点について図４を参照して説明する。図４はＦＰＤ１２ａ上の読み出し領域を示す図であり、（ａ）は立位撮影時、（ｂ）は臥位撮影時の様子である。
【００２９】
立位撮影時には被検者はＦＰＤユニット１２の上縁部に顎を載せて撮影を行う。このため、ＦＰＤ１２ａの上端を基準とし、その中央の垂直線に対し左右対称に読み出し領域を設定する。一方、臥位撮影時にはＦＰＤ１２ａの中心を基準とし、上下左右対称に読み出し領域を設定する。このように読み出し領域を変更することによって、撮影したい部位を確実に捕捉することができる。
【００３０】
次に、本医用Ｘ線撮影装置の動作の一例を撮影手順に従って説明する。まず、被検者Ｐは内科、外科等の所望の診察部門に赴き診察を受ける。Ｘ線透視撮影が必要であると医師が判断すると、当該医師は、後記のような撮影情報を手元のコンピュータ３４から入力する。もちろん、このような作業は医師自らが行うとは限らず、医師の記載した処方箋に従って他の者が入力することもある。このように入力された撮影情報は被検者Ｐの識別情報に対応付けられて院内ネットワーク３２へと送出され、ホストコンピュータ３３の記憶装置に格納される。医師から指示を受けた被検者Ｐは、その被検者の識別情報が記憶されているカード３１を携えて放射線科へと赴く。
【００３１】
放射線科の担当者は被検者Ｐよりカード３１を受け取ってカードリーダ３０に装着し、入力部２８から所定の操作を行う。すると、カードリーダ３０はカード３１から上記識別情報を読み出して処理・制御部２０へと与える。処理・制御部２０はその識別情報を付与された被検者Ｐの撮影情報を取得するために、通信制御部２９から院内ネットワーク３２を介してホストコンピュータ３３又は他のコンピュータ３４に識別番号を照会し、最新の、つまりこれから行おうとする撮影に関する撮影情報を受け取る。撮影情報には少なくとも立位撮影又は臥位撮影の選択情報（両方ということもあり得る）が含まれる。そのほかには、撮影部位（例えば頭部、胸部、腹部等）や更に撮影角度などの細かい撮影条件を含むようにしてもよい。
【００３２】
処理・制御部２０は通信制御部２９から撮影情報を受け取ると、まず表示灯１３ｂを点灯させる。すなわち、この表示灯１３ｂの点灯は、処理・制御部２０が既に撮影情報を受け取っており、ＦＰＤ１２ａ及びＸ線管１５を所定の撮影位置に移動できる準備が整っていることを示している。この表示灯１３ｂの点灯・非点灯は担当者がすぐに視認できるようになっているため、担当者は表示灯１３ｂの点灯により装置が待機状態にあることを認識し、装置周囲の安全を確認する。つまり、ＦＰＤ１２ａ及びＸ線管１５が移動した際にこれに接触する位置に被検者Ｐが居ないかどうか、或いは他の障害物が移動経路上に放置されていないかどうかなどを確認する。安全を確認したならば、入力２８により所定の操作を行って動作の開始を指示する。この指示を受けて、処理・制御部２０は撮影情報に基づいた制御信号を移動制御部２３へと送る。これにより移動制御部２３はまずＸ線管１５及びＦＰＤユニット１２を臥位撮影（図１中のＡの範囲）又は立位撮影（図１中のＢの範囲）のいずれかに移動させる。そして、撮影部位が設定されている場合には、上記範囲内において設定部位の撮影が可能な位置に移動させる。但し、被検者Ｐの体格等に依り一定の位置で必ずしも同一の撮影部位となるとは限らないから、自動的な撮影部位の設定は粗調整であって、後述するように担当者が手動で微調整を行うことが望ましい。
【００３３】
移動制御部２３が動作制御を行っている間、障害物検知部３５は障害物センサ１２ｂによる検知信号を判定し、移動方向に障害物がないかどうかを確認する。先に担当者が充分に周囲の安全を確認した場合であっても、急に被検者Ｐが装置に近づくと安全を損なうおそれがある。そこで、障害物検知部３５により障害物があると判定されると、処理・制御部２０は移動制御部２３に対して移動動作の一時停止を指示し、例えば図示しない警告ブザーを鳴動させる等によって担当者や被検者の注意を喚起する。このように移動動作が一時停止した場合には、担当者が入力部２８から動作の再開を指示するまではその状態で待機するため、非常に高い安全性を確保することができる。もちろん、入力部２８等の適宜の箇所に、上記のような装置の移動を緊急に停止するためのスイッチを設けておくと更に好ましい。
【００３４】
担当者は上記の如き装置の移動が完了したのを確認して、被検者Ｐに所定位置での姿勢の保持を指示する。例えば医師より立位での胸部撮影が指示されていたとすると、Ｘ線管及びＦＰＤユニットは図１中のＢの範囲、つまりＸ線管１５’及びＦＰＤユニット１２’に位置している。そこで被検者Ｐに対し、ＦＰＤユニット１２’に胸部を密着する状態で直立するように指示を与える。これに応じて被検者は図１中のＰ'で示すような姿勢をとる。担当者は適宜撮影部位の微調整を行った後、入力部２８から所定の操作を行って撮影動作の開始を指示する。この指示を受けて照射制御部２４はＸ線管１５を駆動し、被検者Ｐ’に向けて所定の時間だけＸ線を照射する。
【００３５】
Ｘ線が照射されている期間にＦＰＤ１２ａ’から出力される信号はデータ収集部２１を経てＡ/Ｄ変換部２２へ入力され、各Ｘ線検出素子による検出信号毎にデジタル値に変換されて処理・制御部２０へと送られる。そして、１枚のＸ線透視画像を構成するデータとして記憶装置２５に格納される。また同時に、処理・制御部２０において所定の画像信号処理が行われ、その結果がＸ線透視画像としてモニタ２７の画面上に表示される。したがって、担当者はこの画像を見て確実に撮影が行われたか否かを確認することができる。もし、特に撮影上の不具合がなければ、担当者は入力部２８で所定の操作を行う。これにより、先に撮影された透視画像が当該被検者Ｐに対する撮影画像として確定する。
【００３６】
記憶装置２５に格納された画像データは、被検者Ｐの識別情報や撮影情報等と共に即座に院内ネットワーク３２を介してホストコンピュータ３３に送出され、ホストコンピュータ３３の記憶装置に格納される。したがって、その後、担当医師は手元のコンピュータ３４からその被検者Ｐの識別情報を検索し、先に撮影されたＸ線透視画像を取り出してモニタ画面上に表示することができる。なお、例えば、ホストコンピュータ３３に画像データを格納する際に同時に担当医師の手元のコンピュータ３４へも画像データを送出するか、或いはホストコンピュータ３３に画像データを格納したことを上記コンピュータ３４へ知らせるように設定しておけば、担当医師は撮影後すぐにそのＸ線透視画像をコンピュータ３４のモニタ上で見ることができる。なお、従来通り、Ｘ線撮影装置において、記憶装置２５に格納された画像データを基にしてフィルム記録部２６によりＸ線透視画像をフィルムに焼き付けることも可能である。
【００３７】
このようにして、本実施例に係るＸ線撮影装置によれば、始めの医師による撮影の指示から撮影されたＸ線透視画像を見るまでの一連の作業をきわめて効率的に、且つ人為的なミスが生じにくいように実行することができる。
【００３８】
なお、当然のことながら、上記実施例は単に本発明の一例であって、本発明の趣旨の範囲で適宜変更や修正を行えることは明らかである。
【図面の簡単な説明】
【図１】  本発明の一実施例による医用Ｘ線撮影装置の全体構成図。
【図２】  本実施例の医用Ｘ線撮影装置における臥位撮影時の要部の正面図。
【図３】  本実施例の医用Ｘ線撮影装置における立位撮影時の要部の正面図。
【図４】  本実施例の医用Ｘ線撮影装置における立位撮影時と臥位撮影時とのＦＰＤの読み出し領域を示す模式図。
【符号の説明】
１０…載置台
１１…昇降台
１２，１２’…ＦＰＤユニット
１２ａ，１２ａ’…ＦＰＤ（二次元Ｘ線センサ）
１２ｂ…障害物センサ
１３，１３’…保持台
１３ａ…アーム
１３ｂ…表示灯
１４，１６…レール
１５，１５’…Ｘ線管
１５ａ…懸垂アーム
２０…処理・制御部
２１…データ収集部
２２…Ａ/Ｄ変換部
２３…移動制御部
２４…照射制御部
２５…記憶装置
２６…フィルム記録部
２７…モニタ
２８…入力部
２９…通信制御部
３０…カードリーダ
３１…カード
３２…院内ネットワーク
３３…ホストコンピュータ
３４…コンピュータ
３５…障害物検知部
Ｃ…天井
Ｆ…床面
Ｐ，Ｐ’…被検者
Ｒ…撮影室
【図１】
0003899862.tif 000002
【図２】
0003899862.tif 000003
【図３】
0003899862.tif 000004
【図４】
0003899862.tif 000005